【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
ベースフレームと、車椅子が搭乗可能なテーブル部と、このテーブル部を昇降駆動させるための昇降駆動部を備えた車椅子用昇降機において、前記昇降駆動部を略凹字状に構成すると共に、前記テーブル部の一側両端近傍に該昇降駆動部の支柱部を配置し、これらの支柱部間に少なくとも車椅子のステップ部及び使用者の足先が進入可能となる空間（Ｓ）が形成されることを特徴とする車椅子用昇降機。
【請求項２】
上記ベースフレームと、上記テーブル部と、上記昇降駆動部と、前記ベースフレームと前記テーブル部間に配される交差フレームとからなる車椅子用昇降機において、前記昇降駆動部を略凹字状に構成すると共に、前記テーブル部の一側両端近傍に該昇降駆動部の支柱部を配置し、これら両支柱部内からそれぞれ下方へ進退自在となる作動杆を設け、両作動杆を同期させるための駆動軸を前記支柱部下端部に設けたことを特徴とする請求項１に記載の車椅子用昇降機。
【手続補正２】
【補正対象書類名】明細書
【補正対象項目名】０００６
【補正方法】変更
【補正の内容】
【０００６】
請求項１の発明は、ベースフレームと、車椅子が搭乗可能なテーブル部と、このテーブル部を昇降駆動させるための昇降駆動部を備えた車椅子用昇降機において、前記昇降駆動部を略凹字状に構成すると共に、前記テーブル部の一側両端近傍に該昇降駆動部の支柱部を配置し、これらの支柱部間に少なくとも車椅子のステップ部及び使用者の足先が進入可能となる空間（Ｓ）が形成されることを特徴とする。
請求項２の発明は、上記ベースフレームと、上記テーブル部と、上記昇降駆動部と、前記ベースフレームと前記テーブル部間に配される交差フレームとからなる車椅子用昇降機において、前記昇降駆動部を略凹字状に構成すると共に、前記テーブル部の一側両端近傍に該昇降駆動部の支柱部を配置し、これら両支柱部内からそれぞれ下方へ進退自在となる作動杆を設け、両作動杆を同期させるための駆動軸を前記支柱部下端部に設けたことを特徴とする。
【手続補正３】
【補正対象書類名】明細書
【補正対象項目名】００１２
【補正方法】変更
【補正の内容】
【００１２】
このように構成した交差フレーム３は、第一リンク３ａ，３ａの筒状部材３ｃ，３ｃをベースフレーム２のブラケット６，６にそれぞれ軸着すると共に、第二リンク３ｂのローラー３ｄ，３ｄをベースフレーム２のレール部材２ｂ，２ｂにそれぞれ挿通してベースフレーム２に組み付ける。
なお、本実施例では、２組の交差フレーム３，３の第二リンク３ｂ，３ｂに連結部材３ｅ，３ｅを固着して構成している。このように構成することによってテーブル部４の揺れを低減する効果がある。
【手続補正４】
【補正対象書類名】明細書
【補正対象項目名】００１４
【補正方法】変更
【補正の内容】
【００１４】
このように構成された基部フレーム８には、昇降機構１０を設けている。この昇降機構１０は、次のように構成されている。
第４図に示すように、一方の支柱パイプ８ｂにモーター１１を止着し、このモーター１１の出力軸１１ａと、前記左右の軸受部材８ｅ，８ｅに具備されるベアリング１２，１２を介して支持される駆動軸１３を連結している。そして、この駆動軸１３の両端部には、それぞれスプロケット１４，１４が止着されており、モーター１１を作動することで、これらスプロケット１４，１４が同期して正逆回転自在となっている。
そして、このスプロケット１４，１４に巻き掛けられるチェーン１５，１５を支柱パイプ８ｂ，８ｂ上部に具備されている回転自在なスプロケット１６，１６にも巻き掛けている。そして、これらチェーン１５，１５の両端部は、それぞれ作動杆１７，１７の上部に止着した連結部材１８，１８にそれぞれ止着している。なお、それぞれの作動杆１７は、支軸８ｄ，８ｄに支持されるガイドローラー１９，１９によって、垂直方向に進退するよう保持されている。すなわち、それぞれのチェーン１５，１５は支柱パイプ８ｂ，８ｂの上下両端部近傍に支持されたスプロケット１４，１４，１６，１６で支持されると共に、無端状となっており、モーター１１の正逆回転によってスプロケット１４，１４が正逆回転し、チェーン１５，１５を正逆回転することで作動杆１７，１７を支柱パイプ８ｂ，８ｂに沿って進退するように構成したものである。
なお、本実施例においては、上側のスプロケット１６，１６はスプリングによって上方に付勢された状態で支持されており、チェーン１５，１５が常に適度な張り具合となるように構成している。また、この上側のスプロケット１６，１６は支柱パイプ８ｂ，８ｂに沿って上下に位置を調節することができるように構成しても良い。
２０はカバーであり、チェーン１５及び作動杆１７を覆うように支柱パイプ８ｂに止着されている。また、２１はモーターカバーである。
以下、テーブル部４の上方へ突出する支柱パイプ８ｂ，８ｂ及びカバー２０，２０等を支柱部５ａ，５ａとする。
【手続補正５】
【補正対象書類名】明細書
【補正対象項目名】００１７
【補正方法】変更
【補正の内容】
【００１７】
次に、テーブル部４について説明する。このテーブル部４は、テーブルフレーム４ａとテーブルプレート４ｂからなるものである。
まず、テーブルフレーム４ａについて説明する。このテーブルフレーム４ａは、矩形状に構成されると共に、内部に固着された補強部材４ｃ，４ｃにレール部材４ｄ，４ｄが固着されている。
また、テーブルフレーム４ａの３方には、設置面とテーブル部４の上面との段差をつなぐスロープ２２または、テーブル部４の上面と段差上面とをつなぐブリッジ２３を取り付けるためのＵ字状の取付部財４ｅ，４ｅ，・・・を固着している。
さらに、テーブルフレーム４ａの残りの一方には、前記昇降駆動部５の基部パイプ８ａ下面に接当する保持部材４ｆ，４ｆが固着されている。
そして、一側縁部が上方に屈曲された矩形状のテーブルプレート４ｂをテーブルフレーム４ａに止着することでテーブル部４は構成される。
【手続補正６】
【補正対象書類名】明細書
【補正対象項目名】００２３
【補正方法】変更
【補正の内容】
【００２３】
なお、本実施例では、スロープ２２の取付部に隣接するテーブル部４の側縁部にブリッジ２３を取り付けている。
しかし、設置場所の状態に合せ、スロープ２２に対向する位置にブリッジ２３を取り付け、昇降駆動部５に対向する位置にブリッジ２３の操作レバー３６を配置することもできる。
また、スロープ２２は昇降駆動部５が隣接するテーブル部４の側縁部の何れにも取り付けできるよう構成されている。
このように、テーブル部４の側縁部にスロープ２２とブリッジ２３及び操作レバー３６が入れ替え自在に取付可能であるので、設置場所に合せ、移動方向をＬ字状としたり、逆Ｌ字状としたり、さらには直進とするなど最適な進入・退出方向とすることができる。
なお、３８はテーブルフレーム４ａあるいは昇降駆動部５の基部フレーム８に取り付けられるカバーであり、駆動軸１３に巻き込まれないようにするものである。
【手続補正７】
【補正対象書類名】明細書
【補正対象項目名】００２５
【補正方法】変更
【補正の内容】
【００２５】
次に、この車椅子用昇降機１の使用方法について説明する。
この車椅子用昇降機１は、段差上面の高さとテーブル部４の高さを略同じ高さに合せ、操作レバー３６を反昇降駆動部５側に回動し、ブリッジ２３を倒伏させる。この状態は、第１図と第７図及び第８図に示すようになっている。
この状態とした後、使用者Ｍはテーブル部４上に車椅子Ｋで前進する。このとき、使用者の両側部は、起立したスロープ２２と転落防止柵３３により転落防止がなされている。また、前進し過ぎてもテーブルプレート４ｂの昇降駆動部５側を上方に折り返しているので、これが車輪止めとして機能し、使用者Ｍは安心してテーブル部４上で旋回操作を行うことができる。
この旋回操作時には、昇降駆動部５の左右の支柱パイプ８ｂ，８ｂ間に車椅子Ｋのステップ部が進入可能な空間Ｓが形成されているので、この空間Ｓを利用して旋回することができる。詳述すると、従来は旋回に必要なスペースをテーブル部上面のみ使用していたが、本発明においては昇降駆動部５間に設けた空間Ｓを利用することで、テーブル部４の面積を削減したものである。なお、前述したように車椅子Ｋの前輪はテーブル部４の折り返しで車輪止めされ、車椅子Ｋのステップ部のみがこの空間Ｓに進入できるように構成しているので安全である。
なお、より安全性を高めるために使用者Ｍの膝程度の高さで支柱パイプ８ｂ，８ｂ間に安全バー３９を固着しておいても良い。
【手続補正８】
【補正対象書類名】明細書
【補正対象項目名】００２６
【補正方法】変更
【補正の内容】
【００２６】
そして、テーブル部４上で車椅子Ｋを旋回させ、昇降駆動部５に略平行な状態とすることができれば、操作レバー３６を昇降駆動部５側に回動させ、ブリッジ２３を起立する。然る後、昇降スイッチ（図示省略）の操作により、テーブル部４を下降させれば良い。このとき、モーター１１の出力軸１１ａの回転に同期して、左右のスプロケット１４，１４が回転し、これに連動するようにチェーン１５，１５が回転する。そして、このチェーン１５，１５にそれぞれ連結されている作動杆１７，１７が支柱パイプ８ｂ，８ｂに対して相対的に上方移動する。これに伴い、交差フレーム３は開き、テーブル部４が下降する。
テーブル部４が下限に近づくと、ガイドパイプ２９に接当していたローラー２８がガイドパイプ２９の湾曲部に沿って移動することとなり、自動的にスロープ２２が倒伏される。テーブル部４が下限に達するとスロープ２２は設置面に接した状態となっており、そのまま前進してこの車椅子用昇降機１から出れば良い。
【手続補正９】
【補正対象書類名】明細書
【補正対象項目名】００２７
【補正方法】変更
【補正の内容】
【００２７】
また、この車椅子用昇降機１を使用して上昇する場合には、上述と逆の手順となる。
このときには、テーブル部４を段差上面と略同じ高さとした後、ブリッジ２３を倒伏し、このブリッジ２３上の空間を利用して旋回すれば良い。
【手続補正１０】
【補正対象書類名】明細書
【補正対象項目名】００２９
【補正方法】変更
【補正の内容】
【００２９】
なお、本実施例では、テーブル部４を支持する交差フレーム３を備えた車椅子用昇降機１としているが、この交差フレーム３は必ずしも必要なものではなく、例えば、作動杆１７，１７をベースフレーム２に立設する状態で固定し、昇降駆動部５でテーブル部４を支持する構成としても何ら問題はない。また、昇降機構１０として、ネジや液圧等を用いて作動杆１７を進退させる構成としても良い。
すなわち、テーブル部４の一側両端部に配置した支柱部５ａ，５ａ間に空間（Ｓ）が形成されるものであれば良い。